(57)【要約】【課題】  表面実装タイプの振れ検知手段を固定保持する場合に、半田クラックなどによりの電気的な接続不良を起こさないようにする。【解決手段】  振れ検知手段とプリント配線基板の電気的な接続部に緩衝部材の外力が印加しないよう緩衝部材に逃げ部を形成する。【選択図】  図１
2005202175.tif 000002
【特許請求の範囲】
【請求項１】
振れを検知するための振れ検知手段と、前記振れ検知手段を実装するプリント配線基板と、前記振れ検知手段を収納する収納保持部材と、前記振れ検知手段を実装したプリント配線基板と前記収納保持部材の間に介在する緩衝部材とを有する撮影装置であって、
前記振れ検知手段と前記プリント配線基板の電気的な接続部に前記緩衝部材の外力が印加しないようにしたことを特徴とする撮影装置。
【発明の詳細な説明】
【技術分野】
【０００１】
本発明は、カメラなどの撮影装置内部に配置する振れセンサーに取り付けに関するものである。
【背景技術】
【０００２】
近年、カメラなどの撮影装置は、光学的な手振れ補正機能が搭載されることが多くなっている。手振れ補正機能では、振動ジャイロなどの振れ検知センサーを内部に搭載して、アクチュエータを用いて一部のレンズを可動制御することで、撮影画像の安定化をはかるものが一般的である。
【０００３】
一眼レフカメラにおいて、手振れ補正機能を搭載した場合には、特に手振れ検知用の振動ジャイロには以下のような取り付け上の問題がある。
【０００４】
（１）クイックリターンミラーや、シャッターなどの可動時の衝撃により、振動ジャイロ取り付け部のから直接的に振動ジャイロに有害な振動が伝わりことで、振れ検知信号にノイズやエラーが発生し易い。
【０００５】
（２）空気中を伝播する音響振動により、撮影装置の振れ検知信号にエラーが生じ易い。
【０００６】
（３）振動ジャイロの取り付け部の剛性が弱いと、振動ジャイロが撮影装置とは異なって振れてしまうことで、撮影画像の安定化の制御に狂いが生じてしまう。
【０００７】
そこで上記の課題を解決した振動ジャイロの素子の取り付け装置としては、特許文献１、特許文献２に開示されているものがある。
【０００８】
これら取り付け装置を、図２、図３に示す。なお図３は、取り付け部を説明するための簡略化した断面図である。これらの図に示すように、まず、振れ検知手段（振動ジャイロ）１０３をフレキシブルプリント配線基板１０４に実装するとともに、このジャイロ搭載部の全体を発砲シートなどの弾性部材１０２で覆った状態で、収納ケース１０１に適度な圧縮力を与えながら収納する。そして収納ケース１０１に蓋１０６をして、このケース自体を撮影装置内部の固定部１００にビス止めして固定する。この固定部１００は、撮影装置内部でも比較的に剛性が高いところが選ばれている。フレキシブルプリント配線基板１０４は、収納ケース１０１と蓋１０６の間に設けた僅かな隙間１０７から引き出されて不図示の本体回路基板に電気的に接続している。このような取り付け装置では、弾性部材１０２の緩衝効果により有害な振動が振動ジャイロに伝播するのをなくし、音響振動については、ケースにより対策している。また、このケース自体を剛性の高い固定部１００に強固に固定することでジャイロの取り付け上の問題を解決している。
【特許文献１】特開平７−２７０８４７号公報
【特許文献２】特開平９−６１８７４号公報
【発明の開示】
【発明が解決しようとする課題】
【０００９】
上記の取り付け装置における振動ジャイロは、リード付き電気部品のセンサー素子である。ここで、小型化が進むにつれて表面実装タイプ（電気接続用のリードが無いタイプ）の振動ジャイロが一般的になってきている。このような表面実装タイプの振動ジャイロを、従来どおりの固定法で固定した場合を図４に示す。
【００１０】
図４に示すように、振動ジャイロ１１０をフレキシブルプリント配線基板１１１に半田付け部１１２で半田付けして実装する。そして、緩衝部材１１３で覆い、収納ケース１１４に適度な圧縮力を加えながら収納する。このように振動ジャイロ１１０の収納をしてしまうと、緩衝部材１１３からの反力がフレキシブルプリント配線基板１１１の半田付け部１１２に集中しやすくなり、半田付け部１１２の半田にクラックが生じて接続不良を起こし易くなる。この問題点は、振動ジャイロがリード付き電気部品である場合（図３）は、半田付け部１０５を振動ジャイロ側に付勢しているので、半田クラックが生じるような問題は発生しにくいが、図４の場合は、フレキシブルプリント配線基板１１１の半田付けのランドを設けるために外側に大きくの延ばす必要があるために、著しく半田付け部１１２に外力が印加しやすく、半田クラックの発生が問題となる。
【００１１】
本発明は、表面実装タイプの振れ検知手段を固定保持する場合に、半田クラックなどによりの電気的な接続不良を起こさないようにするための振れ検知手段の取り付け装置およびこれを用いた撮影装置を提供することを目的にしている。
【課題を解決するための手段】
【００１２】
本発明は、振れを検知するための振れ検知手段と、前記振れ検知手段を実装するプリント配線基板と、前記振れ検知手段を収納する収納保持部材と、前記振れ検知手段を実装したプリント配線基板と前記収納保持部材の間に介在する緩衝部材とを有する撮影装置であって、前記振れ検知手段と前記プリント配線基板の電気的な接続部に前記緩衝部材の外力が印加しないようにしたことを特徴としている。これにより、半田クラックのなどの発生を解消できて、電気的な接続の信頼性が向上する。
【発明の効果】
【００１３】
以上説明したように本発明では、振動ジャイロをフレキシブルプリント配線基板に実装した状態で固定するときの信頼性を向上することが可能である。
【発明を実施するための最良の形態】
【００１４】
（実施例）
以下、本発明を実施例に基づいて詳細に説明する。
【００１５】
本件の実施例は、一眼レフカメラの交換レンズ内部に搭載された振れ補正機構におけるものである。交換レンズ内部には、レンズを可動するためのアクチュエータが搭載されており、また交換レンズの振れ量を検知するためのセンサーが搭載されている。これらのアクチュエータ及びセンサーを制御するマイコンからなる制御回路が搭載されていて、この制御回路は、カメラ本体側から電源供給を受けるとともに、通信など情報をやり取りしながら、振れ補正制御だけでなく、合焦制御や絞り制御などの交換レンズの内部制御全般をつかさどっている。図１は、振れ補正検出を行う振動ジャイロの取り付け構造を示す図であり、説明のために簡略化した図である。図１において、ここでは、表面実装タイプの振動ジャイロ１がフレキシブルプリント配線基板２に実装されている。フレキシブルプリント配線基板２と振動ジャイロ１は、半田付け部３で半田付けされていて、電気的に導通している。このフレキシブルプリント配線基板２は、不図示の交換レンズ内部の制御回路につながっていて、センサーの検出信号を制御回路に送っている。この振動ジャイロ１とフレキシブルプリント配線基板２の実装部は緩衝部材４で覆われており、ケース５に適度な外力を受けながら収納されている。この緩衝部材４は、発泡フォーム材料を使っており、ケースからの衝撃や有害振動がセンサーに直接作用することを防止している。ケース５は、カメラのミラーやシャッター駆動時の音響振動を防止する役割をしている。そしてこのケース５は、交換レンズ内部のケース固定部６に不図示のビスで強固に固定されている。図１からも分かるように、緩衝部材４の振動ジャイロを覆う形状は、全体を覆っているのではなく、振動ジャイロ１とフレキシブルプリント配線基板２の半田付け部３の周りは、覆われていない。これは、緩衝部材の圧縮力の反力が半田付け部３に作用することで、半田クラックなどの電気的な導通不良を生じることを防止している。ケース５の形状もまた、この半田付け部３の周りに空洞を設けるように、逃がしの形状が設けてあり、半田付け部近傍のフレキシブルプリント配線基板２がケース５に直接的に接触することを防止している。これによりケースの振動がフレキシブルプリント配線基板２を経由して振動ジャイロ１に作用することを防止することが可能である。
【００１６】
本実施例では、緩衝部材の形状と収納のケースの両方に形状に逃げ形状を追加しているが、どちらか一方に逃がし形状を設けるだけでも同様の効果を得られる。また、緩衝部材は、発泡フォーム材料を用いているが、ゴム部材や発泡スチロールなど様々な材料でも同様な効果が得られる。また音響振動の対策とするための吸音材料を用いるとさらに効果的は向上する。
【００１７】
上記のように、本実施例では、半田クラックのなどの発生を解消できて、電気的な接続の信頼性が向上する。
【図面の簡単な説明】
【００１８】
【図１】本発明における実施例の振れ検知手段の取り付けを示す図。
【図２】従来の振れ検知手段の取り付け装置を示す図。
【図３】従来の振れ検知手段の取り付けを示す概略図。
【図４】従来の振れ検知手段の取り付けを示す概略図。
【符号の説明】
【００１９】
１  振動ジャイロ（振れ検知手段）
２  フレキシブルプリント配線基板（プリント配線基板）
３  半田付け部（電気的接続部）
４  緩衝部材
５  ケース（収納保持部材）
６  ケース固定部
【図１】
2005202175.tif 000003
【図２】
2005202175.tif 000004
【図３】
2005202175.tif 000005
【図４】
2005202175.tif 000006